(57)【要約】【課題】遊技球を従来と異なる流れで可変部材付きの入賞口に向かわせることが可能な遊技機の提供を目的とする。【解決手段】本発明のパチンコ遊技機１０は、遊技板１１の前面から突出したガイドレール９０等からなる外側の流下規制突部８９と、枠突壁２４等からなる内側の流下規制突部８８と、枠突壁２４に隣接する大入賞口７２Ｙと可変部材７２Ｊを有する。大入賞口７２Ｙの左側の開口縁を基準点Ｐ０として、その基準点Ｐ０から大入賞口７２Ｙの右側の開口縁側に延ばした仮想基準線Ｈを、基準点Ｐ０を中心に上方に回動したときに、基準点Ｐ０と枠突壁２４との間を結ぶ線分が、経路分割突部より先に接する基準接触部９６を外側の前記流下規制突部８９に設けている。【選択図】図１９
2020127796.tif 000002
【特許請求の範囲】
【請求項１】
遊技板の前面に備えた遊技領域に遊技球を打ち込んで、その遊技領域の右側領域か左側領域かに遊技球を流下させて遊技を行う遊技機であって、
前記遊技板の前面から突出して前記遊技領域の外側の境界線を特定し、その外側の境界線を遊技球が超えることを規制する外側の流下規制突部と、
前記遊技板の前面から突出して前記遊技領域の内側の境界線を特定し、その内側の境界線を遊技球が超えることを規制する内側の流下規制突部と、
前記内側及び外側の流下規制突部から遊技球１つ分以上離間した位置で前記遊技板の前面から突出し、遊技球の流下経路を複数に分割することが可能な経路分割突部と、
前記遊技板の前面に開口しかつ横方向の一端が前記内側の流下規制突部に対して遊技球１球分より近くに隣接する入賞口と、
前記入賞口の前側領域に進入する遊技球を前記入賞口に案内する入賞容易位置と、遊技球が前記入賞口の前側領域を通過することを許容しかつ前記入賞口に入賞することを規制する入賞困難位置との間を移動する可変部材と、を備え、
前記入賞口の上方を横切りかつ前記内側の流下規制突部に延びる直線である入賞線分と前記入賞容易位置の前記可変部材と前記内側の流下規制突部とに囲まれた入賞容易領域が、遊技球１つ以上の大きさでかつ、前記入賞線分を通過する以外の遊技球の進入経路を有さずかつ、前記入賞口以外の遊技球の退出経路を有さず、前記経路分割突部を有しないことを特徴とする遊技機。
【発明の詳細な説明】
【技術分野】
【０００１】
本発明は、遊技板の前面に備えた遊技領域に遊技球を打ち込んで、その遊技領域の右側領域か左側領域かに遊技球を流下させて遊技を行う遊技機に関する。
【背景技術】
【０００２】
遊技機としてのパチンコ遊技機の多くは、遊技板の前面から起立するガイドレールの内側に演出用開口を備えて、その演出用開口の開口縁から前方に装飾枠体が突出した構造になっている。そして、ガイドレールとそのガイドレールに遊技球１つ分より接近した位置に突設された近接突部（例えば、障害釘や樹脂部材）とからなる外側の流下規制突部と、装飾枠体とその装飾枠体に遊技球１つ分より接近した位置に突設された近接突部とからなる内側の流下規制突部との間に形成される遊技領域に遊技球が打ち込まれて遊技が行われる。また、遊技領域又は流下規制突部には、可変部材にて開閉される入賞口が備えられ、遊技者は、入賞口への遊技球の入賞を狙って、遊技領域の右側領域か左側領域かに遊技球を流下させて遊技を楽しむことができる。なお、古いタイプのものでは、ガイドレールのみで外側の流下規制突部が構成され、装飾枠体のみで内側の流下規制突部が構成されている（例えば、特許文献１，２参照）。
【先行技術文献】
【特許文献】
【０００３】
【特許文献１】特開２００７−２５２６２９号（図３）
【特許文献２】特開２０１２−２４９７０３号公報（段落［００３７］図６）
【発明の概要】
【発明が解決しようとする課題】
【０００４】
しかしながら、近年、演出用開口の大型化に伴い、遊技領域が狭くなってきているため、可変部材付きの入賞口に向かう遊技球の流れが画一的になってきている。
【０００５】
本発明は、上記事情に鑑みてなされたもので、遊技球を従来と異なる流れで可変部材付きの入賞口に向かわせることが可能な遊技機の提供を目的とする。
【課題を解決するための手段】
【０００６】
上記目的を達成するためになされた請求項１の発明は、遊技板の前面に備えた遊技領域に遊技球を打ち込んで、その遊技領域の右側領域か左側領域かに遊技球を流下させて遊技を行う遊技機であって、前記遊技板の前面から突出して前記遊技領域の外側の境界線を特定し、その外側の境界線を遊技球が超えることを規制する外側の流下規制突部と、前記遊技板の前面から突出して前記遊技領域の内側の境界線を特定し、その内側の境界線を遊技球が超えることを規制する内側の流下規制突部と、前記内側及び外側の流下規制突部から遊技球１つ分以上離間した位置で前記遊技板の前面から突出し、遊技球の流下経路を複数に分割することが可能な経路分割突部と、前記遊技板の前面に開口しかつ横方向の一端が前記内側の流下規制突部に対して遊技球１球分より近くに隣接する入賞口と、前記入賞口の前側領域に進入する遊技球を前記入賞口に案内する入賞容易位置と、遊技球が前記入賞口の前側領域を通過することを許容しかつ前記入賞口に入賞することを規制する入賞困難位置との間を移動する可変部材と、を備え、前記入賞口の上方を横切りかつ前記内側の流下規制突部に延びる直線である入賞線分と前記入賞容易位置の前記可変部材と前記内側の流下規制突部とに囲まれた入賞容易領域が、遊技球１つ以上の大きさでかつ、前記入賞線分を通過する以外の遊技球の進入経路を有さずかつ、前記入賞口以外の遊技球の退出経路を有さず、前記経路分割突部を有しないことを特徴とする遊技機である。
【０００７】
この発明により、遊技球を従来と異なる流れで可変部材付きの入賞口に向かわせることが可能になる。
【図面の簡単な説明】
【０００８】
【図１】本発明の第１実施形態に係る遊技機の正面図
【図２】遊技板の正面図
【図３】遊技板の概念図
【図４】サイド大入賞口の拡大断面図
【図５】入賞容易領域の拡大図
【図６】第２実施形態に係る入賞容易領域の拡大図
【図７】第３実施形態に係る入賞容易領域の拡大図
【図８】第４実施形態に係る遊技板の正面図
【図９】第４実施形態に係る入賞容易領域の拡大図
【図１０】第５実施形態に係る入賞容易領域の拡大図
【図１１】第６実施形態に係る遊技板の正面図
【図１２】第６実施形態に係る入賞容易領域の拡大図
【図１３】第７実施形態に係る入賞容易領域の拡大図
【図１４】第８実施形態に係る遊技板の正面図
【図１５】第８実施形態に係る入賞容易領域の拡大図
【図１６】第９実施形態に係る入賞容易領域の拡大図
【図１７】第１０実施形態に係る入賞容易領域の拡大図
【図１８】第１１実施形態に係る入賞容易領域の拡大図
【図１９】第１２実施形態に係る入賞容易領域の拡大図
【図２０】第１３実施形態に係る入賞容易領域の拡大図
【図２１】第１４実施形態に係る入賞容易領域の拡大図
【発明を実施するための形態】
【０００９】
［第１実施形態］
以下、本発明を適用したパチンコ遊技機１０（本発明の「遊技機」に相当する。）に係る第１実施形態を、図１〜図５に基づいて説明する。なお、以下の説明において、遊技者がパチンコ遊技機１０と対向する方向を「前後方向」といい、パチンコ遊技機１０のうち遊技者と対向する側を「前側」、その反対側を「後側」ということとする。また、パチンコ遊技機１０を構成する各部位又は各部品の説明において「右側」とは、パチンコ遊技機１０の前面側からその各部位又は各部品を見た場合の右側をいい、その反対側を「左側」ということとする。
【００１０】
図１に示すように、パチンコ遊技機１０は、前面が前面枠１００Ｚにて覆われており、その前面枠１００Ｚに形成されたガラス窓１００Ｗを通して遊技板１１を視認することができる。遊技板１１は、図２に示されており、前方から見ると略正方形の上側両角部を斜めにカットした形状をなしている。また、遊技板１１の前面には第１〜第３の帯状部材９１，９２，９３が取り付けられている。
【００１１】
第１の帯状部材９１は、略半円状をなし、その両端部は、遊技板１１の下辺の左端寄り位置と遊技板１１の右辺上端寄り位置とに位置する。
【００１２】
第２の帯状部材９２は第１の帯状部材９１の右側端部から下方に延び、遊技板１１の右辺中央と、下辺中央とを通過するように湾曲している。そして、第２の帯状部材９２の左側端部が、遊技板１１の左上部で第１の帯状部材９１に対して内側から遊技球１つ分離れて対向して、進入口９０Ｋを構成している。また、第３の帯状部材９３は、進入口９０Ｋから遊技板１１の下辺の中央寄り位置に亘って延び、一部が第２の帯状部材９２の外面に重なっている。そして、上記した第１〜第３の帯状部材９１，９２，９３によりガイドレール９０が構成され、そのガイドレール９０の内側がレール内領域Ｒ１になっている。
【００１３】
なお、第１〜第３の帯状部材９１，９２，９３は樹脂製でも金属製でもよい。また、ガイドレール９０の一部が遊技板１１に形成された段差部で構成されていてもよいし、遊技板１１に固定されたゴム部材で構成されていてもよい。
【００１４】
レール内領域Ｒ１の中央には、演出用開口１１Ｗが貫通形成され、この演出用開口１１Ｗを通して、「演出手段」としての表示装置１３の表示画面１３Ｇが前方に臨んでいる。また、演出用開口１１Ｗの開口縁には、表示装飾枠２３が取り付けられている。表示装飾枠２３には、遊技板１１の前面から突出する枠突壁２４が備えられている。枠突壁２４は、演出用開口１１Ｗの上辺部分と両側辺部分と下辺右端部とに配置され、遊技球が演出用開口１１Ｗ内に進入することを規制している。これにより、本実施形態では、レール内領域Ｒ１内（即ち、ガイドレール９０の内側）で遊技球が通過する領域は環状になっている。つまり、遊技板１１の前面には、遊技球が通過し得る環状の遊技領域Ｒ２が備えられている。そして、前面枠１００Ｚの前面右下に備えられた操作ノブ２８（図１参照）が操作されると、ガラス窓１００Ｗの下方の上皿２６に貯留されている遊技球が進入口９０Ｋから遊技領域Ｒ２に打ち込まれ、遊技領域Ｒ２の左側領域２１Ｌか右側領域２１Ｒの何れかを流下する。
【００１５】
具体的には、遊技領域Ｒ２は、図３にハッチングを付して示されており、遊技領域Ｒ２の外側の境界線Ｌ１（図３の破線Ｌ１参照）を、ガイドレール９０とそれに隣接する樹脂部材９４Ａ，９４Ｂ等の複数の第１の近接突部によって特定されると共に、遊技領域Ｒ２の内側の境界線Ｌ２（図３の二点鎖線Ｌ２参照）は、枠突壁２４とそれに隣接する樹脂部材９５Ａ等の複数の第２の近接突部によって特定されている。換言すれば、ガイドレール９０と第１の近接突部とからなる外側の流下規制突部８９によって、遊技領域Ｒ２より外側への遊技球の移動が規制され、枠突壁２４と第２の近接突部とからなる内側の流下規制突部８８によって、遊技領域Ｒ２より内側への遊技球の移動が規制されている。
【００１６】
詳細には、上記した「第１の近接突部」は、遊技板１１の前面から突出し、ガイドレール９０に対して遊技球１つ分より接近した位置に配置されているか、遊技球１つ分より接近して連続配置されているものであり、上記した樹脂部材９４Ａ，９４Ｂの他に、図３に示すように、複数の障害釘９８を連ねてなる障害釘列９９や役物ユニット８７等が「第１の近接突部」に相当する。また、「第２の近接突部」は、遊技板１１の前面から突出し、枠突壁２４に対して遊技球１つ分より接近した位置に配置されているか、遊技球１つ分より接近して連続配置されているものであり、上記した樹脂部材９５Ａの他に、障害釘列９９等が「第２の近接突部」に相当する。
【００１７】
なお、外側の流下規制突部８９は、ガイドレール９０のみで構成されていてもよいし、内側の流下規制突部８８は枠突壁２４のみで構成されていてもよい。
【００１８】
図２に示されるように、遊技領域Ｒ２には、内側及び外側の流下規制突部８８，８９からそれぞれ遊技球１つ分以上離間した位置で遊技板１１の前面から突出する突部として、第１と第２の始動入賞役物１４Ａ，１４Ｂ、普通入賞役物２０、始動ゲート１８、風車１９、及び、複数の障害釘９８、障害樹脂突部９７が備えられている。これら第１と第２の始動入賞役物１４Ａ，１４Ｂ、普通入賞役物２０等は、遊技領域Ｒ２の遊技球の流下経路を複数に分割する役割をはたし、本発明に係る「経路分割突部」に相当する。即ち、障害釘９８や障害樹脂突部９７のうち、ガイドレール９０及び枠突壁２４からそれぞれ遊技球１つ分以上離間した位置に配置されているものは経路分割突部であり、ガイドレール９０又は枠突壁２４にそれぞれ遊技球１つ分より接近すると、遊技球の流下経路を分割しなくなるので、経路分割突部でなくなる。そして、ガイドレール９０又は枠突壁２４にそれぞれ遊技球１つ分より接近して連続配置されているものは前述の第１又は第２の近接突部であり、内側又は外側の流下規制突部８８，８９となる。
【００１９】
詳細には、普通入賞役物２０及び第１の始動入賞役物１４Ａは、遊技板１１の前面から突出しかつ上面に入賞口を有したポケット構造をなし、遊技球が１つずつ入賞可能になっている。また、図４に示すように、第２の始動入賞役物１４Ｂは、縦長の樋構造をなしかつ上面に入賞口を備え、その入賞口が、通常は、遊技板１１の前面のスリットから突出する可変部材１４Ｔによって閉塞されている。そして、第１の始動入賞口１４Ａが、遊技領域Ｒ２の下部領域における左右方向の中央に配置され、その第１の始動入賞役物１４Ａの右側方に第２の始動入賞役物１４Ｂが配置されている。また、普通入賞役物２０は、第１の始動入賞役物１４Ａの左側に２つ配置され、第１の始動入賞役物１４Ａ，１４Ｂの間の下方位置に１つ配置され、さらには、遊技領域Ｒ２の右側領域２１Ｒにおける上下方向の中央に１つ配置されている。また、始動ゲート１８は、遊技板１１から前方に突出したゲート構造をなして、その内側を遊技球が１つずつ通過可能になっている。そして、始動ゲート１８は、右側領域２１Ｒの上部に配置されている。なお、風車１９は、左側領域２１Ｌの下部に配置され、障害釘９８は、遊技領域Ｒ２全体に分散配置され、障害樹脂突部９７は、進入口９０Ｋの近傍に配置されている。
【００２０】
遊技領域Ｒ２のうち第１の始動入賞役物１４Ａの下方には、センター大入賞口１５が備えられ、その下方にアウト口１６が配置されている。センター大入賞口１５は、遊技板１１の前面に開口する横長の長方形をなし、その下縁部を中心に前後に傾動する可変部材１５Ｔを備え、その可変部材１５Ｔによって通常は閉塞されている。
【００２１】
図４に示されるように、第２の始動入賞役物１４Ｂの上端部からは、左右に転動ガイド壁１４Ｇが延びていて、次述する転動面３５から転落した遊技球を転動ガイド壁１４Ｇで受けて第２の始動入賞役物１４Ｂに案内すると共に、可変部材１４Ｔを通過した遊技球をセンター大入賞口１５（図２参照）の上方位置に繋がる障害釘９８の列へと受け渡すようになっている。
【００２２】
転動面３５は、前記した外側の流下規制突部８９を構成する役物ユニット８７の上部に形成されている。役物ユニット８７は、ガイドレール９０の右下コーナー部に内側から隣接している。また、役物ユニット８７の最上部は、ガイドレール９０に隣接し、枠突壁２４の右下角部より僅かに下方に位置している。そして、役物ユニット８７の上面が、ガイドレール９０に隣接する位置から枠突壁２４の右下角部の概ね真下位置まで緩やかに下る転動面３５になっている。
【００２３】
転動面３５の上端寄り位置から下端部に亘る範囲は、サイド大入賞口１７になっていて、通常は、遊技板１１の前面のスリットから突出する可変部材１７Ｔによって閉塞され、その可変部材１７Ｔによって転動面３５が構成されている。可変部材１７Ｔは遊技板１１の前面のスリットから突出してサイド大入賞口１７への遊技球の入賞を規制する入賞困難位置と、遊技板１１の前面のスリット内に引っ込んで入賞困難位置よりサイド大入賞口１７への遊技球の入賞を容易にする入賞容易位置との間を移動するようになっている。
【００２４】
役物ユニット８７の左側面のうち、前述の転動ガイド壁１４Ｇが突き合わされた部分には、その転動ガイド壁１４Ｇの先端から離れる側に膨出した湾曲面８７Ａが形成されている。そして、役物ユニット８７の左側面が、湾曲面８７Ａの下端部から左側下がりに緩やかに傾斜して延びてから下方に折れ曲がっている。そして、役物ユニット８７の左側面と第２の始動入賞役物１４Ｂとの間に遊技球をアウト口１６へと案内する外れ流路Ｒ３が形成されている。
【００２５】
また、左側領域２１Ｌにおいて枠突壁２４の中央寄り位置にワープゲート２９が設けられている。左側領域２１Ｌを流下する遊技球がワープゲート２９に進入すると、第１の始動入賞役物１４Ａの上方に位置するステージ（図示せず）に案内され、ステージに設けられたステージ孔から第１の始動入賞口１４Ａに入賞し易くなっている。
【００２６】
ワープゲート２９には遊技球の流下速度を抑えるための凹凸部３０が複数設けられている。凹凸部３０は他にも、遊技板１１の右上部における第１の帯状部材９１と枠突部２４との間や、転動面３５の上方や、樹脂部材９５Ａの周囲に沿うように設けられている。
【００２７】
上記した可変部材１４Ｔ，１５Ｔ，１７Ｔの開閉は、以下の各条件の成立に基づいて制御される。即ち、始動ゲート１８を遊技球が通過すると、表示画面１３Ｇに普通図柄３８を変動表示してから停止表示し、その停止表示した普通図柄３８が奇数か偶数かによって判定結果を報知する普図判定が行われる。この普図判定では、１／２の確率で当りとなり、当り（以下、「普図当り」という）になると、所定時間に亘って可変部材１４Ｔが開いて第２の始動入賞役物１４Ｂへの遊技球の入賞が可能になる。
【００２８】
また、始動ゲート１８への遊技球の通過、及び、次述する第１及び第２の始動入賞役物１４Ａ，１４Ｂへの遊技球の入賞は、それぞれ４つまで保留球として保留され、それら保留球を順次使用して普図判定又は特図判定が行われる。また、それら保留球の数は、表示画面１３Ｇに表示される。
【００２９】
第１及び第２の始動入賞役物１４Ａ，１４Ｂに遊技球が入賞すると、表示画面１３Ｇに特別図柄１３Ａ，１３Ｂ，１３Ｃを変動表示してから停止表示し、その停止表示した特別図柄１３Ａ，１３Ｂ，１３Ｃの図柄組み合わせによって判定結果を報知する特図判定が行われる。
【００３０】
第１の始動入賞役物１４Ａによる特図判定では、例えば、１／３２０の確率で「大当り」となり、１／１２０の確率で「小当り」になる。「大当り」になると、所定回数、所定時間に亘って可変部材１５Ｔが開く「大当り遊技」が実行されて、センター大入賞口１５に多くの遊技球の入賞が可能になる。「小当り」になると、「大当り遊技」に比べて少ない回数、短い時間に亘って可変部材１５Ｔが開く「小当り遊技」が実行される。この「小当り遊技」では、遊技球がセンター大入賞口１５に多く入賞することは望めない。
【００３１】
また、第１の始動入賞役物１４Ａによる特図判定の「大当り」の半分は「時短付き大当り」になっていて、「時短付き大当り」の「大当り遊技」が実行されると、その実行後に、所謂、時短状態になり、普図判定の判定時間が通常時より短くなり、かつ、普図当りになったときに可変部材１４Ｔが開く時間が長くなる。また、「時短付き大当り」の１／３は、１回の普図判定でのみ時短状態になり、２／３は１００回の普図判定で時短状態になる。「１００回の時短付き大当り」を引き当てると、通常時に比べて第２の始動入賞役物１４Ｂに入賞する頻度が格段に高くなり、第２の始動入賞役物１４Ｂによる特図判定が行われる頻度も高くなる。
【００３２】
第２の始動入賞役物１４Ｂによる特図判定では、例えば、１／３２０の確率で「大当り」となり、１／７の確率で「小当り」になる。「大当り」になると、所定回数、所定時間に亘って可変部材１７Ｔが開く「大当り遊技」が実行されて、サイド大入賞口１７に多くの遊技球の入賞が可能になる。また、サイド大入賞口１７に入賞した遊技球が通過する経路には、図示しないＶ入賞口と通常口とが備えられていて、所謂、第二種の判定が行われ、その様子は、遊技板１１に設けられたＶ視認部１１Ｊ（図２参照）にて透視することができる。そして、Ｖ入賞口に遊技球が入賞すると、センター大入賞口１５による上記した「大当り遊技」が実行される。また、「小当り」になると、「大当り遊技」に比べて少ない回数、短い時間に亘って可変部材１７Ｔが開く「小当り遊技」が実行される。この「小当り遊技」では、遊技球がサイド大入賞口１７に多く入賞することは望めないが、サイド大入賞口１７に入賞した遊技球がＶ入賞口に入賞すれば、センター大入賞口１５による上記した「大当り遊技」が実行され、遊技球がセンター大入賞口１５に多く入賞し得る。また、第２の始動入賞役物１４Ｂによる特図判定の「大当り」の全ては「時短付き大当り」になっていて、その「時短付き大当り」の１／３は、「１回の時短付き大当り遊技」であり、２／３は、「１００回の時短付き大当り遊技」になっている。
【００３３】
なお、各普通入賞役物２０、各始動入賞役物１４Ａ，１４Ｂ、センター大入賞口１５，サイド大入賞口１７に遊技球が入球すると、所定数の賞球が上皿２６に払い出される。また、入賞しなかった遊技球はアウト口１６に取り込まれる。
【００３４】
上記した遊技の制御により、時短状態になると、右側領域２１Ｒに遊技球を流下させる、所謂、右打ちが有利になる。その右側領域２１Ｒの主要部であるサイド大入賞口１７は、従来にはない「入賞入口」を備えた構成になっている。
【００３５】
ここで、「入賞入口」とは、「入賞口又は当該入賞口に連なる遊技釘等（遊技部材）で構成される遊技球の流下経路のうち、入賞口から最も離れた位置にあるもの」のことであり、「入賞口に連なる遊技釘等」とは、遊技釘間を遊技球が通過できないように遊技釘等を連続配置したもののことをいう。即ち、サイド大入賞口１７が形成されていてそのサイド大入賞口１７に連続する外側の流下規制突部８９は、「入賞口に連なる遊技釘等」に相当する。
【００３６】
そこで、図５に示すように、サイド大入賞口１７の左開口縁を基準点Ｐ０とし、その基準点Ｐ０からサイド大入賞口１７の右開口縁側に延ばした仮想基準線Ｈを、基準点Ｐ０を中心に上方に回動して、その仮想基準線Ｈが、上記した障害釘９８等の経路分割突部又は内側の流下規制突部８８に始めて接したときに、その仮想基準線Ｈと外側の流下規制突部８９とが交差する交点Ｐ１と基準点Ｐ０とを結ぶ線分を、サイド大入賞口１７の入賞線分Ｎとして求める。なお、仮想基準線Ｈは基準点Ｐ０を始点として、無限に延びる架空の直線であり、入賞線分Ｎは仮想基準線Ｈのうちの基準点Ｐ０から交点Ｐ１までの線分である。すると、入賞線分Ｎと外側の流下規制突部８９とに囲まれた入賞容易領域Ｋは、遊技球が１つ以上進入可能な大きさをなしかつ、入賞線分Ｎを通過する以外の進入経路を有さずかつ、サイド大入賞口１７以外の遊技球の退出経路を有しないので、入賞容易領域Ｋに進入した遊技球のほとんどがサイド大入賞口１７に入賞することになる。つまり、入賞線分Ｎを、サイド大入賞口１７の実質的な入賞入口と見なすことができる。
【００３７】
そして、本実施形態では、その仮想基準線Ｈを基準点Ｐ０を中心に上方に回動したときに、障害釘９８等の経路分割突部より先に内側の流下規制突部８８に接するように構成されている。詳細には、内側の流下規制突部８８の一部である樹脂部材９５Ａの先端部が、仮想基準線Ｈと最初に接する基準接触部９６になっている。その樹脂部材９５Ａは、枠突壁２４の右側部に対して遊技球１つ分より近い範囲に隣接配置されて、枠突壁２４から側方に張り出している。そして、樹脂部材９５Ａの先端が、外側の流下規制突部流下規制突部８９における転動面３５とその上方の樹脂部材９４Ａとの間の右側領域ガイドレール９０に遊技球略２個分の間隔を空けて、突き合わされている。また、樹脂部材９５Ａの上面は、右下がりに緩やかに傾斜し、樹脂部材９５Ａの下面は、転動面３５と平行になっている。樹脂部材９５Ａの下面と転動面３５との間は遊技球略２個分の間隔が空いている。さらに、樹脂部材９４Ｂの下部には、右斜め上方から樹脂部材９５Ａの先端に対峙する凹状湾曲面９４Ｂ１が備えられている。そして、交点Ｐ１が樹脂部材９４Ｂ１の下端寄り位置に配置され、その交点Ｐ１とサイド大入賞口１７の左開口縁である基準点Ｐ０とを結ぶ入賞線分Ｎが、樹脂部材９５Ａの先端の基準接触部９６に接するようになっている。また、大入賞口の入賞入口は５５ｍｍを越え１３５ｍｍ以下に規定されていて、基準接触部９６は、入賞線分Ｎの長さが上記の範囲内になるように配置されている。なお、「大入賞口」とは、「入賞口のうち役物が作動した場合に著しく入賞が容易になる入賞口」のことである。
【００３８】
このように、本実施形態では、外側の流下規制突部８９に形成されたサイド大入賞口１７の実質的な入賞入口である入賞線分Ｎが、内側の流下規制突部８８に接するように形成されて、右側領域２１Ｒにおける内側と外側の流下規制突部８８，８９の間に差し渡されている。また、入賞容易領域Ｋ内には、経路分割突部を有しないので、入賞容易領域Ｋ内に進入した遊技球が入賞容易領域Ｋ外に出ていくことも少ない。これらにより、サイド大入賞口１７が開いている状態では、右側領域２１Ｒを流下する遊技球の全てが入賞容易領域Ｋに進入し、サイド大入賞口１７に入賞可能となる。
【００３９】
本実施形態の構成に関する説明は以上である。次に、本実施形態のパチンコ遊技機１０の作用効果について説明する。本実施形態のパチンコ遊技機１０では、時短状態になると、右側領域２１Ｒに遊技球を流下させる右打ち遊技が遊技者にとって有利になる。そして、右打ち遊技を行うと、第２の始動入賞役物１４Ｂへの入賞により特図判定が行われて１／７の確率で小当りになり、１／３２０の確率で大当たりになる。
【００４０】
ここで、「小当り」となるとサイド大入賞口１７は開くが、その開放時間は極めて短いので、従来の遊技機の構造では、サイド大入賞口１７への入賞を期待することが困難である。これに対し、本実施形態のパチンコ遊技機１０では、サイド大入賞口１７の実質的な入賞入口である入賞線分Ｎが、右側領域２１Ｒにおける内側と外側の流下規制突部８８，８９の間に差し渡され、右側領域２１Ｒを流下する遊技球の全てが、サイド大入賞口１７の実質的な入賞入口に進入するので、小当りであっても、サイド大入賞口１７への入賞を期待することができる。また、大当りになったときには、サイド大入賞口１７の開放時間が長くなり、その間に右側領域２１Ｒを流下する遊技球の殆どがサイド大入賞口１７に入賞するので、大きな興奮を遊技者に提供することができる。
【００４１】
このように、本実施形態のパチンコ遊技機１０によれば、外側の流下規制突部８９に備えたサイド大入賞口１７の入賞線分Ｎを、内側の流下規制突部８８に接する直線とし、遊技領域Ｒ２の右側領域２１Ｒで、内側と外側の流下規制突部８８，８９を通過する遊技球が全て入賞線分Ｎを通過し、それらのほとんどがサイド大入賞口１７に入賞するという、従来にはない流れでサイド大入賞口１７に遊技球を向かわせることができる。また、そのような入賞線分Ｎを設定するための樹脂部材９５Ａとその斜め上方の樹脂部材９４Ｂとにより、遊技球が蛇行して減速された状態で入賞線分Ｎを通過するので、サイド大入賞口１７への遊技球の入賞が安定する。また、転動面３５及びサイド大入賞口１７は遊技機Ｒ２の上下方向の中央より下側に配置されているので、遊技領域Ｒ２の上下方向の中央までの遊技球の流下を遊技者が視認して楽しむことができる。また、基準接触部９６が樹脂突部７１のような第２近接突部に備えられている構成とすれば、基準接触部９６の設定・変更を容易に行うことができ、遊技機の設計が容易になる。これらの効果は、以下の他の実施形態でも同様である。
【００４２】
［第２実施形態］
本実施形態のパチンコ遊技機１０Ｐは、図６に示されており、前記第１実施形態の樹脂突部９５Ａの代わりに、障害釘列９９を、表示装飾枠２３の枠突壁２４の右下角部から右斜め下方に延ばして、その障害釘列９９の先端に前記第１実施形態で説明した基準接触部９６を備えている。その障害釘列９９は、複数の障害釘９８を隣接させて一列に並べてなり、それら障害釘９８，９８同士は遊技球１つ分よりも狭い間隔で纏めて配置されていて、障害釘列９９と表示装飾枠２３との間隔は、遊技球１つ分より小さくなっている。本実施形態の構成によっても第１実施形態と同様の作用効果を奏する。
【００４３】
［第３実施形態］
以下、本発明を適用したパチンコ遊技機１０Ｎに係る第３実施形態を、図７に基づいて説明する。本実施形態のパチンコ遊技機１０Ｎは、樹脂突部９５Ａ及び障害釘列９９の代わりに枠突壁２４の右下角部を基準接触部９６とした点が第１及び第２実施形態と異なる。
【００４４】
詳細には、枠突壁２４の右下角部と右側領域２１Ｒにおけるガイドレール９０との間は遊技球略２個分の間隔が空いている。そして、右側領域２１Ｒを流下してきた遊技球はそのまま入賞線分Ｎを通過して入賞容易領域Ｋ内に入り、サイド大入賞口１７へと入賞する。
【００４５】
［第４実施形態］
以下、本発明を適用したパチンコ遊技機１０Ｌに係る第４実施形態を、図８，９に基づいて説明する。図８に示すように、遊技盤１１Ｌの右側領域２１Ｒの上下方向の中央部には、大入賞口３１及び大入賞口３１を開閉する可動扉３２が設けられていて、大入賞口３１の下方には、このパチンコ遊技機１０Ｌの外側の流下規制突部８９を構成する役物ユニット８７Ｌが設けられている。
【００４６】
図９に示すように、役物ユニット８７Ｌには、第１実施形態の転動面３５よりも左右方向に延びた転動面３５Ｌが設けられていて、転動面３５ＬにはＶ大入賞口１７Ｌ及び可変部材１７Ｔが設けられている。転動面３５Ｌの左下方には第２の始動入賞役物１４Ｄと外れ流路Ｒ３が形成されている。第２の始動入賞口１４Ｄの上方には第１の始動入賞役物１４Ｃが設けられている。また、Ｖ大入賞口１７Ｌに入賞した遊技球が通過する経路には、図示しないＶ入賞口と通常口とが備えられている。
【００４７】
本実施形態のパチンコ遊技機１０Ｌでは、第２の始動入賞役物１４Ｄによる特図判定では、例えば、１／３２０の確率で「大当り」となり、１／１０の確率で「小当り」になる。Ｖ大入賞口１７に入賞した遊技球がＶ入賞口に入賞すれば、大入賞口３１による「大当り遊技」が実行される。また、第２の始動入賞役物１４Ｄによる特図判定の「大当り」の全ては「時短付き大当り」になっていて、その「時短付き大当り」の１／３は、「２回の時短付き大当り遊技」であり、１／３は、「１０回の時短付き大当り遊技」であり、１／３は、「１００回の時短付き大当り遊技」になっている。なお、本実施形態では、第２の始動入賞役物１４Ｂへの遊技球の入賞は、１つまで保留球として保留される。
【００４８】
そして、本実施形態では、第３実施形態と同様に、転動面３５Ｌの上方に位置する枠突壁２４の右下角部が基準接触部９６となっていて、右側領域２１Ｒにおける大入賞口３１より下方を流下してきた遊技球はそのまま入賞線分Ｎを通過して入賞容易領域Ｋ内に入り、Ｖ大入賞口１７Ｌへと入賞する。
【００４９】
［第５実施形態］
本実施形態のパチンコ遊技機１０Ｒは、図１０に示されており、役物ユニット８７とガイドレール９０との間に遊技球が通過可能な通路が備えられている。即ち、本実施形態では、役物ユニット８７は、ガイドレール９０から遊技球１つ分以上離れているので、外側の流下規制突部８９に含まれず、前述した第１と第２の始動入賞役物１４Ａ，１４Ｂ、普通入賞役物２０等のように、遊技領域Ｒ２の遊技球の流下経路を複数に分割する役割する「経路分割突部」になっている。また、そのような経路分割突部の中でも、役物ユニット８７は、前記第１実施形態と同様の入賞線分Ｎを有するサイド大入賞口１７が形成された「特別経路分割突部」になっている。
【００５０】
また、本実施形態の役物ユニット８７には、転動面３５がサイド大入賞口１７を閉塞するサイド大入賞口１７Ｔの上面にのみ形成され、サイド大入賞口１７の右隣には、転動面３５より急勾配になってサイド大入賞口１７に向かって下るように傾斜したガイド面３６が備えられている。また、内側の流下規制突部８８には、第２実施形態と同様に、表示装飾枠２３の右下部分から右斜め下方に延びる障害釘列９９が備えられている。そして、サイド大入賞口１７の左開口縁を基準点Ｐ０とし、その基準点Ｐ０からサイド大入賞口１７の右開口縁側に延ばした仮想基準線Ｈを、基準点Ｐ０を中心に上方に回動したときに、経路分割突部より先に障害釘列９９の先端の基準接触部９６に接するようになっている。障害釘列９９の先端と可変部材１７Ｔとの間は遊技球略１個分の間隔が空いている。
【００５１】
また、その基準接触部９６に接する仮想基準線Ｈのうち、仮想基準線Ｈが役物ユニット８７と交差する交点Ｐ１と、基準点Ｐ０とを結ぶ線分が、サイド大入賞口１７の入賞線分Ｎをなし、その入賞線分Ｎと役物ユニット８７とに囲まれた入賞容易領域Ｋが、遊技球が１つ以上進入可能な大きさをなしかつ、入賞線分Ｎを通過する以外の進入経路を有さずかつ、サイド大入賞口１７以外の遊技球の退出経路を有しない構成になっている。
【００５２】
このように、本実施形態では、特別経路分割突部としての役物ユニット８７に形成されたサイド大入賞口１７の実質的な入賞入口である入賞線分Ｎが、内側の流下規制突部８８に接するように形成されて、右側領域２１Ｒにおける内側の流下規制突部８８と特別経路分割突部である役物ユニット８７との間に差し渡されている。これにより、右側領域２１Ｒを流下する遊技球のうち役物ユニット８７と内側の流下規制突部８８との間に流れ込む遊技球の全てがサイド大入賞口１７の入賞容易領域Ｋに進入し、そのサイド大入賞口１７に入賞可能という、従来にはない流れで入賞口に向かわせることができる。
【００５３】
［第６実施形態］
以下、本発明を適用したパチンコ遊技機１０Ｓに係る第６実施形態を、図１１，１２に基づいて説明する。図１１に示すように、このパチンコ遊技機１０Ｓの内側の流下規制突部８８を構成する枠突壁２４の左側面には、上端寄り位置より下側部分を窪ませて側面凹部２４Ａが形成されている。そして、側面凹部２４Ａの下端部に、左側方に向かって開口するサイド大入賞口７０が形成されている。側面凹部２４Ａの上端部は、側方に張り出す側面突部２４Ｂとなっている。
【００５４】
図１２に示すように、サイド大入賞口７０には、その下端部を中心に回動する可変部材７０Ｔが設けられている。また、可変部材７０Ｔは、入賞困難位置と入賞容易位置との間を回動し、入賞困難位置では起立姿勢になってサイド大入賞口７０への遊技球の入賞を規制し、入賞容易位置では、傾斜姿勢になってサイド大入賞口７０から側方に張り出し、遊技球をサイド大入賞口７０に案内する。
【００５５】
また、入賞容易位置の可変部材７０Ｔの先端を基準点Ｐ０として、その基準点Ｐ０からサイド大入賞口７０側に延ばした仮想基準線Ｈを基準点Ｐ０を中心に上方に回動すると、その仮想基準線Ｈが、障害釘９８等の経路分割突部より先に、外側の流下規制突部８９の一部である樹脂突部７１に接するようになっている。その樹脂突部７１は、前記第１実施形態の樹脂突部９５Ａと同様に横長形状をなし、外側の流下規制突部８９の主要部であるガイドレール９０に隣接し、樹脂突部７１の先端部は、側面凹部２３Ａにおける上下方向の中間位置に遊技球２〜３つ分の隙間を空けて突き合わされている。そして、この樹脂突部７１の先端の基準接触部９６に接する仮想基準線Ｈと内側の流下規制突部８８との交点Ｐ１と、基準点Ｐ０とを結ぶ線分が入賞線分Ｎになっている。また、その入賞線分Ｎと内側の流下規制突部８８とに囲まれた入賞容易領域Ｋは、遊技球１つ以上の大きさでかつ、入賞線分Ｎを通過する以外の遊技球の進入経路を有さずかつ、サイド大入賞口７０以外の遊技球の退出経路を有しない構造になっている。
【００５６】
このように本実施形態のパチンコ遊技機１０Ｓでは、内側の流下規制突部８８に備えたサイド大入賞口７０の入賞線分Ｎを、外側の流下規制突部８９に接する直線としたことで、遊技領域Ｒ２の左側領域２１Ｌで、内側と外側の流下規制突部８８，８９を通過する遊技球が全て入賞線分Ｎを通過し、それらのほとんどがサイド大入賞口７０に入賞するという、従来にはない流れでサイド大入賞口７０に遊技球を向かわせることができる。また、そのような入賞線分Ｎを特定する外側の流下規制突部８９の樹脂突部７１が、内側の流下規制突部８８の側面突部２４Ｂの下方にあり、側面凹部２３Ａ内に突入しているので、遊技球が蛇行して減速された状態で斜め上方から入賞線分Ｎを通過して入賞容易領域Ｋに進入し、サイド大入賞口１７への遊技球の入賞が安定する。
【００５７】
［第７実施形態］
本実施形態のパチンコ遊技機１０Ｔは、図１３に示されており、前記第６実施形態の樹脂突部７１に代わりに、障害釘列９９を、ガイドレール９０に隣接配置した構造になっている。本実施形態の構成によっても第６実施形態と同様の作用効果を奏する。
【００５８】
［第８実施形態］
以下、本発明を適用したパチンコ遊技機１０Ｕに係る第８実施形態を、図１４，１５に基づいて説明する。図１４に示すように、このパチンコ遊技機１０Ｕの外側の流下規制突部８９を構成する役物ユニット８７Ｕは、縦長形状をなしてガイドレール９０に右側下部に隣接配置されている。そして、その役物ユニット８７Ｕの左側面に第６実施形態と同様のサイド大入賞口７０と可変部材７０Ｔとが備えられている。
【００５９】
そして、図１５に示すように、入賞容易位置の可変部材７０Ｔの先端を基準点Ｐ０として、その基準点Ｐ０からサイド大入賞口７０側に延ばした仮想基準線Ｈを基準点Ｐ０を中心に上方に回動すると、その仮想基準線Ｈが、障害釘９８等の経路分割突部より先に、内側の流下規制突部８８の一部である障害釘列９９に接するようになっている。その障害釘列９９は、２つの障害釘９８を隣接配置してなる。そして、この障害釘列９９の先端の基準接触部９６に接する仮想基準線Ｈと外側の流下規制突部８９との交点Ｐ１と、基準点Ｐ０とを結ぶ線分が入賞線分Ｎになっている。また、その入賞線分Ｎと外側の流下規制突部８９とに囲まれた入賞容易領域Ｋは、遊技球１つ以上の大きさでかつ、入賞線分Ｎを通過する以外の遊技球の進入経路を有さずかつ、サイド大入賞口７０以外の遊技球の退出経路を有しない構造になっている。
【００６０】
本実施形態のパチンコ遊技機１０Ｕでは、外側の流下規制突部８９に備えたサイド大入賞口７０の入賞線分Ｎを、内側の流下規制突部８８に接する直線としたことで、遊技領域Ｒ２の右側領域２１Ｒで、内側と外側の流下規制突部８８，８９を通過する遊技球が全て入賞線分Ｎを通過し、それらのほとんどがサイド大入賞口７０に入賞するという、従来にはない流れでサイド大入賞口７０に遊技球を向かわせることができる。なお、このとき、役物ユニット８７Ｕの上端部に側面突部２４Ｂのような側面突部が設けられていてもよい。
【００６１】
［第９実施形態］
本実施形態のパチンコ遊技機１０Ｖは、図１６に示されており、役物ユニット８７Ｕとガイドレール９０との間に遊技球が通過可能な通路が備えられている。即ち、本実施形態では、役物ユニット８７Ｕは、ガイドレール９０から遊技球１つ分以上離れているので、外側の流下規制突部８９に含まれず、遊技領域Ｒ２の流下経路を複数に分割する役割する「経路分割突部」になっている。また、そのような経路分割突部の中でも、役物ユニット８７Ｕは、前記第８実施形態と同様の入賞線分Ｎを有するサイド大入賞口７０が形成された「特別経路分割突部」になっている。
【００６２】
具体的には、サイド大入賞口７０は、役物ユニット８７Ｕのうち左側面における上下方向の途中位置に配置されて側方に向かって開口し、可変部材７０Ｔがサイド大入賞口７０の下端部を中心に回動するようになっている。そして、上記第８実施形態と同様に、入賞容易位置の可変部材７０Ｔの先端を基準点Ｐ０として、その基準点Ｐ０からサイド大入賞口７０側に延ばした仮想基準線Ｈを基準点Ｐ０を中心に上方に回動すると、その仮想基準線Ｈが、障害釘９８等の経路分割突部より先に、内側の流下規制突部８８の一部である障害釘列９９の基準接触部９６に接する。そして、その基準接触部９６に接する仮想基準線Ｈと特別経路分割突部である役物ユニット８７Ｕとの交点Ｐ１と、基準点Ｐ０とを結ぶ線分が入賞線分Ｎになっている。また、その入賞線分Ｎと役物ユニット８７Ｕとに囲まれた入賞容易領域Ｋは、遊技球１つ以上の大きさでかつ、入賞線分Ｎを通過する以外の遊技球の進入経路を有さずかつ、サイド大入賞口７０以外の遊技球の退出経路を有しない構造になっている。
【００６３】
本実施形態のパチンコ遊技機１０Ｖでは、特別経路分割突部である役物ユニット８７Ｕに備えたサイド大入賞口７０の入賞線分Ｎを、内側の流下規制突部８８に接する直線としたことで、遊技領域Ｒ２の右側領域２１Ｒで、内側の流下規制突部８８と役物ユニット８７Ｕとの間に流れ込んだ遊技球が全て入賞線分Ｎを通過し、それらのほとんどがサイド大入賞口７０に入賞するという、従来にはない流れでサイド大入賞口７０に遊技球を向かわせることができる。
【００６４】
［第１０実施形態］
本実施形態のパチンコ遊技機１０Ｗは、図１７に示されており、前記第６実施形態のサイド大入賞口７０と可変部材７０Ｔに代えて、内側の流下規制突部８８の側部にガイド突部７４を備え、ガイド突部７４と内側の流下規制突部８８との間の突部間通路７４Ｚに前面入賞口７２と可変部材７３とを備えた構造になっている。即ち、このパチンコ遊技機１０Ｗの内側の流下規制突部８８を構成する枠突壁２４の左側側には、遊技板１１の前面に開口する前面入賞口７２が隣接配置されている。その前面入賞口７２は、遊技球１つ分の開口幅をなして、前面入賞口７２の右側の内側面は、枠突壁２４の左側面と略面一になっている。
【００６５】
また、可変部材７３は、前面入賞口７２の下端部を中心に回動し、入賞困難位置と入賞容易位置との間を回動する。可変部材７３は、入賞困難位置では、起立姿勢となって前面入賞口７２に全体が収まる。一方、可変部材７３は、入賞困難位置では、前方に倒れた傾斜姿勢となって、遊技板１１の前面を流下して突部間通路７２Ｚに進入してくる遊技球を前面入賞口７２に案内する。
【００６６】
なお、可変部材７３としては、前面入賞口７２内の下面に沿って前後するスライド舌片と、前面入賞口７２の側部に回動中心を有する内部扉とから構成されていてもよい。具体的には、スライド舌片が入賞困難位置では前面入賞口７２内で待機し、そこから前進して入賞容易位置に至ると、遊技球を前面入賞口７２に案内する構成をなし、内部扉が、入賞困難位置で前面入賞口７２の前面開口と平行になって前面入賞口７２への入賞を規制し、そこから前面入賞口７２内で上方に回動して入賞を許容する入賞容易位置へと移動する構成としてもよい。
【００６７】
ガイド突部７４は、枠突壁２４との間に前面入賞口７２を挟んで対向配置されている。また、ガイド突部７４は、前面入賞口７２の左側の内側面と略面一の側面を有し、前面入賞口７２より上方位置で前面入賞口７２に向かって下るように緩やかに傾斜したガイド面７４Ｇを有する。
【００６８】
また、この実施形態では、ガイド面７４Ｇの上端を基準点Ｐ０として、その基準点Ｐ０から内側の流下規制突部８８に延ばした仮想基準線Ｈを基準点Ｐ０を中心に上方に回動したときに、基準点Ｐ０と内側の流下規制突部８８の間を結ぶ線分Ｈが、障害釘９８等の経路分割突部より先に接する基準接触部９６を外側の流下規制突部８９に設けた構成になっている。具体的には、第６実施形態と同様に樹脂突部７１が外側の流下規制突部８９の一部としてガイドレール９０に隣接配置されて、その樹脂突部７１の先端部が基準接触部９６になっている。
【００６９】
そして、基準接触部９６に接する線分である入賞線分Ｎと、ガイド面７４Ｇと、内側の流下規制突部８８と、突部間通路７４Ｚとに囲まれた入賞容易領域Ｋが、遊技球１つ以上の大きさでかつ、入賞線分Ｎを通過する以外の遊技球の進入経路を有さずかつ、前面入賞口７２以外の遊技球の退出経路を有しない構成になっている。
【００７０】
本実施形態のパチンコ遊技機１０Ｗでは、内側の流下規制突部８８と特別経路分割突部であるガイド突部７４との間に備えた前面入賞口７２の入賞線分Ｎを外側の流下規制突部８９に接する直線としたことで、遊技領域Ｒ２の左側領域２１Ｌで、内側と外側の流下規制突部８８，８９の間を通過する遊技球が全て入賞線分Ｎを通過し、それらのほとんどが前面入賞口７２に入賞するという、従来にはない流れで前面入賞口７２に遊技球を向かわせることができる。また、前面入賞口７２には遊技球が１球ずつ入球するので、遊技球が前面入賞口７２に入賞する速度を抑えることができる。
【００７１】
［第１１実施形態］
本実施形態のパチンコ遊技機１０Ｘは、図１８に示されており、前記第１０実施形態の樹脂突部７１の代わりに、前記第２実施形態で説明した障害釘列９９を、ガイドレール９０から右斜め下方に延ばして、その障害釘列９９の先端に前記第１実施形態で説明した基準接触部９６を備えている。このように、以下の実施形態でも、樹脂突部７１を障害釘９８に変更してもよいし、基準接触部を設けるのを内側の流下規制突部８８と外側の流下規制突部８９との間で任意に入れ替えてもよい。
【００７２】
［第１２実施形態］
本実施形態のパチンコ遊技機１０Ｙは、図１９に示されており、前記第１０実施形態のガイド突部７４を排除し、前面入賞口７２を横方向に延ばして大入賞口７２Ｙに変更した構成になっている。また、大入賞口７２Ｙの前側領域７２ＹＺに進入する遊技球を大入賞口７２Ｙに案内する入賞容易位置と、遊技球が大入賞口７２Ｙの前側領域７２ＹＺを通過することを許容しかつ大入賞口７２Ｙに入賞することを規制する入賞困難位置との間を移動する可変部材７２Ｊが備えられている。
【００７３】
この実施形態では、大入賞口７２Ｙのうち内側の流下規制突部８８から離れた側の左端部の下端を基準点Ｐ０として、その基準点Ｐ０から内側の流下規制突部８８に延ばした仮想基準線Ｈを基準点Ｐ０を中心に上方に回動したときに、基準点Ｐ０と内側の流下規制突部８８の間を結ぶ線分Ｈが、障害釘９８等の経路分割突部より先に接する基準接触部９６を外側の流下規制突部８９（詳細には、前述の樹脂突部７１の先端）に設けた構成になっている。そして、基準接触部９６に接する線分である入賞線分Ｎと内側の流下規制突部８８と入賞容易位置の可変部材７２Ｊに囲まれた入賞容易領域Ｋが、遊技球１つ以上の大きさでかつ、入賞線分Ｎを通過する以外の遊技球の進入経路を有さずかつ、大入賞口７２Ｙ以外の遊技球の退出経路を有しない構成になっている。
【００７４】
このように、本実施形態のパチンコ遊技機１０Ｙでは、内側の流下規制突部８８に隣接する大入賞口７２Ｙの入賞線分Ｎを外側の流下規制突部８９に接する直線としたことで、遊技領域Ｒ２の左側領域２１Ｌで、内側と外側の流下規制突部８８，８９の間を通過する遊技球が全て入賞線分Ｎを通過し、それらのほとんどが大入賞口７２Ｙに入賞するという、従来にはない流れで大入賞口７２Ｙに遊技球を向かわせることができる。なお、このとき、大入賞口７２Ｙの上方において、枠突部２４に側面突部２４Ｂが設けられていてもよい。
【００７５】
［第１３実施形態］
本実施形態のパチンコ遊技機１０Ｚは、図２０に示されており、前記第１２実施形態の大入賞口７２Ｙ及び可変部材７２Ｊが、内側の流下規制突部８８に代えて、特別障害釘列９９Ｘに隣接配置された構成になっている。特別障害釘列９９Ｘは、複数の障害釘９８を隣接させて一列に並べてなり、それら障害釘９８，９８同士の間は、遊技球１つ分より小さくなっている。また、特別障害釘列９９Ｘは、内側及び外側の流下規制突部８８，８９から遊技球１つ以上の間隔を空けて配置されている。即ち、特別障害釘列９９Ｘは、遊技領域Ｒ２の流下経路を複数に分割する役割する「経路分割突部」になっている。また、そのような経路分割突部の中でも、特別障害釘列９９Ｘは、大入賞口７２Ｙが遊技球１つ分より近くに隣接した「特別経路分割突部」になっている。
【００７６】
詳細には、特別障害釘列９９Ｘは、上下方向に延びて、ガイドレール９０における左側部に対向配置されている。また、特別障害釘列９９Ｘは、下端寄り位置でクランク状に屈曲し、下端部が左側に突出している。大入賞口７２Ｙは、その特別障害釘列９９Ｘの下端部の左側に隣接配置されている。また、大入賞口７２Ｙの左端部とガイドレール９０との間には、遊技球が通過可能なスペースが設けられている。
【００７７】
そして、大入賞口７２Ｙのうち特別障害釘列９９Ｘから離れた側の左端部の下端を基準点Ｐ０として、その基準点Ｐ０から特別障害釘列９９Ｘに延ばした仮想基準線Ｈを基準点Ｐ０を中心に上方に回動したときに、基準点Ｐ０と特別障害釘列９９Ｘの間を結ぶ線分Ｈが、障害釘９８等の経路分割突部より先に接する基準接触部９６を外側の流下規制突部８９（詳細には、前述の樹脂突部７１の先端）に設けた構成になっている。そして、基準接触部９６に接する線分である入賞線分Ｎと特別障害釘列９９Ｘと入賞容易位置の可変部材７３とに囲まれた入賞容易領域Ｋが、遊技球１つ以上の大きさでかつ、入賞線分Ｎを通過する以外の遊技球の進入経路を有さずかつ、大入賞口７２Ｙ以外の遊技球の退出経路を有しない構成になっている。また、樹脂突部７１の先端部が大入賞口７２Ｙの一部を上方から覆っている。
【００７８】
このように、本実施形態のパチンコ遊技機１０Ｚでは、特別経路分割突部である特別障害釘列９９Ｘに隣接する大入賞口７２Ｙの入賞線分Ｎを外側の流下規制突部８９に接する直線としたことで、遊技領域Ｒ２の左側領域２１Ｌで、外側の流下規制突部８９と特別障害釘列９９Ｘとの間を通過する遊技球が全て入賞線分Ｎを通過し、それらのほとんどが大入賞口７２Ｙに入賞するという、従来にはない流れで大入賞口７２Ｙに遊技球を向かわせることができる。また、樹脂突部７１の先端が大入賞口７２Ｙの一部を上方から覆っていることで、入賞容易領域Ｋに進入する遊技球の流下速度を減速させることができる。なお、このとき、特別障害釘列９９Ｘの上端部に側面突部２４Ｂのような側面突部が設けられていてもよい。
【００７９】
［第１４実施形態］
本実施形態のパチンコ遊技機１０Ｍは、図２１に示されており、前記第１３実施形態の大入賞口７２Ｙに代えて、一般入賞口２０が特別障害釘列９９Ｘに隣接配置された構成になっていて、樹脂突部７１に代えて、障害釘列９９Ｙがガイドレール９０に隣接して配置されている。
【００８０】
また、一般入賞口の入賞入口は１３ｍｍ以下に規定されていて、基準接触部９６は、入賞線分Ｎの長さが上記の範囲内になるように配置されている。
【００８１】
この実施形態では、一般入賞口２０のうち障害釘列９９Ｘから離れた側の左端部の上端を基準点Ｐ０として、その基準点Ｐ０から障害釘列９９Ｘに延ばした仮想基準線Ｈを基準点Ｐ０を中心に上方に回動したときに、基準点Ｐ０と障害釘列９９Ｘの間を結ぶ線分Ｈが、障害釘９８等の経路分割突部より先に接する基準接触部９６を外側の流下規制突部８９（詳細には、前述の樹脂突部７１の先端）に設けた構成になっている。そして、基準接触部９６に接する線分である入賞線分Ｎと障害釘列９９Ｘと一般入賞口２０に囲まれた入賞容易領域Ｋが、遊技球１つ以上の大きさでかつ、入賞線分Ｎを通過する以外の遊技球の進入経路を有さずかつ、一般入賞口２０以外の遊技球の退出経路を有しない構成になっている。
【００８２】
このように、本実施形態のパチンコ遊技機１０Ｍでは、障害釘列９９Ｘに隣接する一般入賞口２０の入賞線分Ｎを外側の流下規制突部８９に接する直線としたことで、遊技領域Ｒ２の左側領域２１Ｌで、樹脂突部７１と障害釘列９９Ｘの間を通過する遊技球が全て入賞線分Ｎを通過し、それらのほとんどが一般入賞口２０に入賞するという、従来にはない流れで一般入賞口２０に遊技球を向かわせることができる。
【００８３】
［他の実施形態］
本発明は、前記実施形態に限定されるものではなく、上記以外にも要旨を逸脱しない範囲内で種々変更して実施することができる。
【００８４】
（１）第１４実施形態において、一般入賞口２０の左側の側方にガイド突部７４を隣接配置させてもよい。なお、このとき、ガイド突部７４のガイド面７４Ｇの上端が基準点Ｐ０となる。
【００８５】
（２）上記実施形態に記載された本発明の特徴となっている入賞線分Ｎを有する入賞口を、１つの遊技板に対して任意の組み合わせで複数備えた構成にしてもよい。
【００８６】
＜付記＞
上記実施形態及び上記他の実施形態で例示した遊技機には、以下の発明が含まれていると考えることができる。
【００８７】
［発明１］
遊技板の前面に備えた遊技領域に遊技球を打ち込んで、その遊技領域の右側領域か左側領域かに遊技球を流下させて遊技を行う遊技機であって、前記遊技板の前面から突出して前記遊技領域の外側の境界線を特定し、その外側の境界線を遊技球が超えることを規制する外側の流下規制突部と、前記遊技板の前面から突出して前記遊技領域の内側の境界線を特定し、その内側の境界線を遊技球が超えることを規制する内側の流下規制突部と、前記内側及び外側の流下規制突部から遊技球１つ分以上離間した位置で前記遊技板の前面から突出し、遊技球の流下経路を分割することが可能な経路分割突部と、前記内側又は外側の一方の前記流下規制突部の一部として設けられ、遊技球が左右方向の一方に向かって転動する転動面と、前記転動面に開口する入賞口と、前記入賞口への遊技球の入賞を規制する入賞困難位置と、前記入賞困難位置より前記入賞口への遊技球の入賞が容易な入賞容易位置との間を移動する可変部材とを備え、前記入賞口の上方を横切りかつ他方の前記流下規制突部に接する直線である入賞線分と前記一方の流下規制突部とに囲まれた入賞容易領域が、遊技球１つ以上の大きさでかつ、前記入賞線分を通過する以外の遊技球の進入経路を有さずかつ、前記入賞口以外の遊技球の退出経路を有さず、前記経路分割突部を有しないことを特徴とする遊技機。
【００８８】
この発明１のように、一方の流下規制突部に形成された入賞口の上方を横切る直線である入賞線分を設定して、その入賞線分と一方の流下規制突部とに囲まれた入賞容易領域を、遊技球１つ以上の大きさでかつ、入賞線分を通過する以外の遊技球の進入経路を有さずかつ、入賞口以外の遊技球の退出経路を有さず、経路分割突部を有しない構成とすれば、入賞容易領域に進入した遊技球のほとんどは、入賞口に入賞することになる。そして、本発明では、そのような入賞線分を、他方の流下規制突部に接する直線としたので、可変部材が入賞容易位置に配置されていると、内側と外側の流下規制突部を通過する遊技球が全て入賞線分を通過して入賞容易領域に進入し、それら遊技球のほとんどが入賞口に入賞するという、従来にはない流れで入賞口に向かわせることができる。
【００８９】
［発明２］
前記入賞口の左右方向の一方側の開口縁を基準点として、その基準点から前記入賞口の他方側の開口縁側に延ばした仮想基準線を、前記基準点を中心に上方に回動したときに、前記基準点と前記一方の流下規制突部との間を結ぶ線分が、前記経路分割突部より先に接する基準接触部を他方の前記流下規制突部に設け、前記基準接触部に接する前記線分を前記入賞線分としたことを特徴とする発明１に記載の遊技機。
【００９０】
この発明２によれば、入賞線分の一端は入賞口の左右方向の一方側の開口縁に位置する。そして、本発明では、このような入賞線分を設定することができるように基準接触部を他方の流下規制突部に設けたので、入賞容易領域に進入した遊技球が入賞口に入賞する確実性を高くすることができる。
【００９１】
［発明３］
前記転動面は、前記外側の流下規制突部の一部として設けられる一方、前記基準接触部は、前記内側の流下規制突部に備えられている発明２に記載の遊技機。
【００９２】
発明３によれば、外側の流下規制突部のうち内側の流下規制突部の下方に位置する部分に転動面を設けて、遊技球を内側の流下規制突部の下方中央に案内することができる。
【００９３】
［発明４］
遊技板の前面に備えた遊技領域に遊技球を打ち込んで、その遊技領域の右側領域か左側領域かに遊技球を流下させて遊技を行う遊技機であって、前記遊技板の前面から突出して前記遊技領域の外側の境界線を特定し、その外側の境界線を遊技球が超えることを規制する外側の流下規制突部と、前記遊技板の前面から突出して前記遊技領域の内側の境界線を特定し、その内側の境界線を遊技球が超えることを規制する内側の流下規制突部と、前記内側及び外側の流下規制突部から遊技球１つ分以上離間した位置で前記遊技板の前面から突出し、遊技球の流下経路を複数に分割することが可能な経路分割突部と、前記経路分割突部の１つとして設けられ、遊技球が左右方向の一方に向かって転動する転動面を有する特別経路分割突部と、前記転動面に開口する入賞口と、前記入賞口への遊技球の入賞を許容する入賞容易位置と、前記入賞口への遊技球の入賞を規制する入賞困難位置との間を移動する可変部材とを備え、前記入賞口の上方を横切りかつ前記内側又は外側の流下規制突部に接する直線である入賞線分と、前記特別経路分割突部とに囲まれた入賞容易領域が、遊技球１つ以上の大きさでかつ、前記入賞線分を通過する以外の遊技球の進入経路を有さずかつ、前記入賞口以外の遊技球の退出経路を有さず、前記経路分割突部を有しないことを特徴とする遊技機。
【００９４】
この発明４のように、特別経路分割突部に形成された入賞口の上方を横切る直線である入賞線分を設定して、その入賞線分と特別経路分割突部とに囲まれた入賞容易領域を、遊技球１つ以上の大きさでかつ、入賞線分を通過する以外の遊技球の進入経路を有さずかつ、入賞口以外の遊技球の退出経路を有さず、流下規制突部を有しない構成とすれば、入賞容易領域に進入した遊技球のほとんどは、入賞口に入賞することになる。そして、本発明では、そのような入賞線分を、内側又は外側の流下規制突部に接する直線としたので、可変部材が入賞容易位置に配置されていると、特別経路分割突部と内側又は外側の流下規制突部を通過する遊技球が全て入賞線分を通過して入賞容易領域に進入し、それら遊技球のほとんどが入賞口に入賞するという、従来にはない流れで入賞口に向かわせることができる。
【００９５】
［発明５］
前記入賞口の左右方向の一方側の開口縁を基準点として、その基準点から前記入賞口の他方側の開口縁側に延ばした仮想基準線を、前記基準点を中心に上方に回動したときに、前記基準点と前記特別経路分割突部との間を結ぶ線分が、前記経路分割突部より先に接する基準接触部を前記内側又は外側の流下規制突部に設け、前記基準接触部に接する前記線分を前記入賞線分としたことを特徴とする発明４に記載の遊技機。
【００９６】
この発明５によれば、入賞線分の一端は入賞口の左右方向の一方側の開口縁に位置する。そして、本発明では、このような入賞線分を設定することができるように基準接触部を内側又は外側の流下規制突部に設けたので、入賞容易領域に進入した遊技球が入賞口に入賞する確実性を高くすることができる。
【００９７】
［発明６］
前記基準接触部は、前記内側の流下規制突部に備えられている発明５に記載の遊技機。
【００９８】
発明６によれば、内側の流下規制突部の下方に位置する特別経路分割突に転動面を設けて、遊技球を内側の流下規制突部の下方中央に案内することができる。
【００９９】
［発明７］
遊技板の前面に備えた遊技領域に遊技球を打ち込んで、その遊技領域の右側領域か左側領域かに遊技球を流下させて遊技を行う遊技機であって、前記遊技板の前面から突出して前記遊技領域の外側の境界線を特定し、その外側の境界線を遊技球が超えることを規制する外側の流下規制突部と、前記遊技板の前面から突出して前記遊技領域の内側の境界線を特定し、その内側の境界線を遊技球が超えることを規制する内側の流下規制突部と、前記内側及び外側の流下規制突部から遊技球１つ分以上離間した位置で前記遊技板の前面から突出し、遊技球の流下経路を複数に分割することが可能な経路分割突部と、前記内側又は外側の一方の前記流下規制突部の側面に開口する入賞口と、前記入賞口の下端側を中心に回動して、前記入賞口への遊技球の入賞を規制する入賞困難位置と、前記入賞口の側方側に張り出し、前記入賞口に遊技球を案内する入賞容易位置との間を移動する可変部材とを備え、前記可変部材が前記入賞容易位置に配置された状態で前記入賞口の斜め上方を横切りかつ他方の前記流下規制突部に接する直線である入賞線分と前記一方の流下規制突部と前記可変部材とに囲まれた入賞容易領域が、遊技球１つ以上の大きさでかつ、前記入賞線分を通過する以外の遊技球の進入経路を有さずかつ、前記入賞口以外の遊技球の退出経路を有さず、前記経路分割突部を有しないことを特徴とする遊技機。
【０１００】
この発明７のように、一方の流下規制突部に形成された入賞口の斜め上方を横切る直線である入賞線分を設定して、その入賞線分と一方の流下規制突部と可変部材とに囲まれた入賞容易領域を、遊技球１つ以上の大きさでかつ、入賞線分を通過する以外の遊技球の進入経路を有さずかつ、入賞口以外の遊技球の退出経路を有さず、流下規制突部を有しない構成とすれば、入賞容易領域に進入した遊技球のほとんどは、入賞口に入賞することになる。そして、本発明では、そのような入賞線分を、他方の流下規制突部に接する直線としたので、可変部材が入賞容易位置に配置されていると、内側と外側の流下規制突部を通過する遊技球が全て入賞線分を通過して入賞容易領域に進入し、それら遊技球のほとんどが入賞口に入賞するという、従来にはない流れで入賞口に向かわせることができる。
【０１０１】
［発明８］
前記入賞容易位置の前記可変部材の先端を基準点として、その基準点から前記入賞口側に延ばした仮想基準線を、前記基準点を中心に上方に回動したときに、前記基準点と前記一方の流下規制突部の間を結ぶ線分が、前記経路分割突部より先に接する基準接触部を他方の前記流下規制突部に設け、前記基準接触部に接する前記線分を前記入賞線分とした発明７に記載の遊技機。
【０１０２】
この発明８によれば、入賞線分の一端は入賞容易位置の可変部材の先端に位置する。そして、本発明では、このような入賞線分を設定することができるように基準接触部を他方の流下規制突部に設けたので、入賞容易領域に進入した遊技球が入賞口に入賞する確実性を高くすることができる。
【０１０３】
［発明９］
前記入賞口は、前記内側の流下規制突部に配置される一方、前記基準接触部は、前記外側の流下規制突部に配置されている発明８に記載の遊技機。
【０１０４】
発明９によれば、入賞口に入賞した遊技球を遊技板の後方に取り込む構造を内側の流下規制突部を利用して容易に形成することができる。
【０１０５】
［発明１０］
前記入賞口を有する前記流下規制突部の側面のうち前記入賞口より上側部分から側方に張り出す側面突部が備えられている発明８又は９に記載の遊技機。
【０１０６】
発明１０によれば、入賞容易領域に進入する遊技球の流下速度を側面突部によって減速させることができる。
【０１０７】
［発明１１］
前記基準接触部は、前記側面突部より下方に配置されている発明１０に記載の遊技機。
【０１０８】
発明１１によれば、側面突部と基準接触部とにより、入賞容易領域に対して遊技球を斜め上方から進入させることができる。
【０１０９】
［発明１２］
遊技板の前面に備えた遊技領域に遊技球を打ち込んで、その遊技領域の右側領域か左側領域かに遊技球を流下させて遊技を行う遊技機であって、前記遊技板の前面から突出して前記遊技領域の外側の境界線を特定し、その外側の境界線を遊技球が超えることを規制する外側の流下規制突部と、前記遊技板の前面から突出して前記遊技領域の内側の境界線を特定し、その内側の境界線を遊技球が超えることを規制する内側の流下規制突部と、前記内側及び外側の流下規制突部から遊技球１つ分以上離間した位置で前記遊技板の前面から突出し、遊技球の流下経路を複数に分割することが可能な経路分割突部と、前記経路分割突部の１つとして設けられ、側面に入賞口を有する特別経路分割突部と、前記入賞口の下端側を中心に回動して、前記入賞口への遊技球の入賞を規制する入賞困難位置と、前記入賞口の側方側に張り出し、前記入賞口に遊技球を案内する入賞容易位置との間を移動する可変部材とを備え、前記可変部材が前記入賞容易位置に配置された状態で前記入賞口の斜め上方を横切りかつ前記内側または外側の流下規制突部に接する直線である入賞線分と前記特別経路分割突部とに囲まれた入賞容易領域が、遊技球１つ以上の大きさでかつ、前記入賞線分を通過する以外の遊技球の進入経路を有さずかつ、前記入賞口以外の遊技球の退出経路を有さず、前記経路分割突部を有しないことを特徴とする遊技機。
【０１１０】
この発明１２のように、特別経路分割突部に形成された入賞口の斜め上方を横切る直線である入賞線分を設定して、その入賞線分と特別経路分割突部とに囲まれた入賞容易領域を、遊技球１つ以上の大きさでかつ、入賞線分を通過する以外の遊技球の進入経路を有さずかつ、入賞口以外の遊技球の退出経路を有さず、経路分割突部を有しない構成とすれば、入賞容易領域に進入した遊技球のほとんどは、入賞口に入賞することになる。そして、本発明では、そのような入賞線分を、内側又は外側の流下規制突部に接する直線としたので、可変部材が入賞容易位置に配置されていると、特別経路分割突部と内側又は外側の流下規制突部を通過する遊技球が全て入賞線分を通過して入賞容易領域に進入し、それら遊技球のほとんどが入賞口に入賞するという、従来にはない流れで入賞口に向かわせることができる。
【０１１１】
［発明１３］
前記入賞容易位置の前記可変部材の先端を基準点として、その基準点から前記入賞口側に延ばした仮想基準線を、前記基準点を中心に上方に回動したときに、前記基準点と前記特別経路分割突部の間を結ぶ線分が、前記経路分割突部より先に接する基準接触部を前記内側又は外側の流下規制突部に設け、前記基準接触部に接する前記線分を前記入賞線分とした発明１２に記載の遊技機。
【０１１２】
この発明１３によれば、入賞線分の一端は入賞容易位置の可変部材の先端に位置する。そして、本発明では、このような入賞線分を設定することができるように基準接触部を内側又は外側の流下規制突部に設けたので、入賞容易領域に進入した遊技球が入賞口に入賞する確実性を高くすることができる。
【０１１３】
［発明１４］
前記特別経路分割突部は、縦長形状になっている発明１３に記載の遊技機。
【０１１４】
発明１４によれば、入賞容易領域を容易に形成することができる。
【０１１５】
［発明１５］
前記特別経路分割突部の側面のうち前記入賞口より上側部分から側方に張り出す側面突部が備えられている発明１３又は１４に記載の遊技機。
【０１１６】
発明１５によれば、入賞容易領域に進入する遊技球の流下速度を側面突部によって減速させることができる。
【０１１７】
［発明１６］
前記基準接触部は、前記側面突部より下方に配置されている発明１５に記載の遊技機。
【０１１８】
発明１６によれば、側面突部と基準接触部とにより、入賞容易領域に対して遊技球を斜め上方から進入させることができる。
【０１１９】
［発明１７］
遊技板の前面に備えた遊技領域に遊技球を打ち込んで、その遊技領域の右側領域か左側領域かに遊技球を流下させて遊技を行う遊技機であって、前記遊技板の前面から突出して前記遊技領域の外側の境界線を特定し、その外側の境界線を遊技球が超えることを規制する外側の流下規制突部と、前記遊技板の前面から突出して前記遊技領域の内側の境界線を特定し、その内側の境界線を遊技球が超えることを規制する内側の流下規制突部と、前記内側及び外側の流下規制突部から遊技球１つ分以上離間した位置で前記遊技板の前面から突出し、遊技球の流下経路を複数に分割することが可能な経路分割突部と、前記内側又は外側の一方の流下規制突部との間の突部間通路に前記遊技板の前面に開口する入賞口を有するガイド突部と、前記ガイド突部に形成されて、遊技球を前記突部間通路へと案内するガイド面と、前記突部間通路に進入する遊技球を前記入賞口に案内する入賞容易位置と、遊技球が前記突部間通路を通過することを許容しかつ前記入賞口に入賞することを規制する入賞困難位置との間を移動する可変部材とを備え、前記入賞口の上方を横切りかつ他方の前記流下規制突部に接する直線である入賞線分と前記ガイド面と前記一方の流下規制突部と前記突部間通路とに囲まれた入賞容易領域が、遊技球１つ以上の大きさでかつ、前記入賞線分を通過する以外の遊技球の進入経路を有さずかつ、前記入賞口以外の遊技球の退出経路を有さず、前記経路分割突部を有しないことを特徴とする遊技機。
【０１２０】
この発明１７のように、一方の流下規制突部と特別経路分割突部との間の入賞口の上方を横切る直線である入賞線分を設定し、その入賞線分と一方の流下規制突部と突部間通路と特別経路分割突部のガイド面とに囲まれた入賞容易領域を、遊技球１つ以上の大きさでかつ、入賞線分を通過する以外の遊技球の進入経路を有さずかつ、入賞口以外の遊技球の退出経路を有さず、経路分割突部を有しない構成とすれば、入賞容易領域に進入した遊技球のほとんどは、入賞口に入賞することになる。そして、本発明では、そのような入賞線分を、他方の流下規制突部に接する直線としたので、可変部材が入賞容易位置に配置されていると、内側と外側の流下規制突部を通過する遊技球が全て入賞線分を通過して入賞容易領域に進入し、それら遊技球のほとんどが入賞口に入賞するという、従来にはない流れで入賞口に向かわせることができる。
【０１２１】
［発明１８］
前記ガイド面の上端を基準点として、その基準点から前記一方の流下規制突部側に延ばした仮想基準線を前記基準点を中心に上方に回動したときに、前記基準点と前記一方の流下規制突部の間を結ぶ線分が、前記経路分割突部より先に接する基準接触部を他方の前記流下規制突部に設け、前記基準接触部に接する前記線分を前記入賞線分としたことを特徴とする発明１７に記載の遊技機。
【０１２２】
この発明１８によれば、入賞線分の一端は特別経路分割突部におけるガイド面の上端に位置する。そして、本発明では、このような入賞線分を設定することができるように基準接触部を内側又は外側の流下規制突部に設けたので、入賞容易領域に進入した遊技球が入賞口に入賞する確実性を高くすることができる。
【０１２３】
［発明１９］
前記入賞口は、遊技球が１つずつ入球可能な大きさになっている発明１７乃至１９の何れか１の発明に記載の遊技機。
【０１２４】
発明１９によれば、遊技球が入賞口に入賞する速度を抑えることができる。
【０１２５】
［発明２０］
遊技板の前面に備えた遊技領域に遊技球を打ち込んで、その遊技領域の右側領域か左側領域かに遊技球を流下させて遊技を行う遊技機であって、前記遊技板の前面から突出して前記遊技領域の外側の境界線を特定し、その外側の境界線を遊技球が超えることを規制する外側の流下規制突部と、前記遊技板の前面から突出して前記遊技領域の内側の境界線を特定し、その内側の境界線を遊技球が超えることを規制する内側の流下規制突部と、前記内側及び外側の流下規制突部から遊技球１つ分以上離間した位置で前記遊技板の前面から突出し、遊技球の流下経路を複数に分割することが可能な経路分割突部と、前記遊技板の前面に開口しかつ横方向の一端が前記内側又は外側の一方の流下規制突部に対して遊技球１球分より近くに隣接する入賞口と、前記入賞口の前側領域に進入する遊技球を前記入賞口に案内する入賞容易位置と、遊技球が前記入賞口の前側領域を通過することを許容しかつ前記入賞口に入賞することを規制する入賞困難位置との間を移動する可変部材とを備え、前記入賞口の上方を横切りかつ他方の前記流下規制突部に接する直線である入賞線分と前記入賞容易位置の前記可変部材と前記一方の流下規制突部とに囲まれた入賞容易領域が、遊技球１つ以上の大きさでかつ、前記入賞線分を通過する以外の遊技球の進入経路を有さずかつ、前記入賞口以外の遊技球の退出経路を有さず、前記経路分割突部を有しないことを特徴とする遊技機。
【０１２６】
この発明２０のように、一方の流下規制突部に一端部が隣接する入賞口の上方を横切る直線である入賞線分を設定し、その入賞線分と一方の流下規制突部と入賞容易位置の可変部材とに囲まれた入賞容易領域を、遊技球１つ以上の大きさでかつ、入賞線分を通過する以外の遊技球の進入経路を有さずかつ、入賞口以外の遊技球の退出経路を有さず、経路分割突部を有しない構成とすれば、入賞容易領域に進入した遊技球のほとんどは、入賞口に入賞することになる。そして、本発明では、そのような入賞線分を、他方の流下規制突部に接する直線としたので、可変部材が入賞容易位置に配置されていると、内側と外側の流下規制突部を通過する遊技球が全て入賞線分を通過して入賞容易領域に進入し、それら遊技球のほとんどが入賞口に入賞するという、従来にはない流れで入賞口に向かわせることができる。
【０１２７】
［発明２１］
前記入賞口の横方向の他端を基準点として、その基準点から一端側に延ばした仮想基準線を前記基準点を中心に上方に回動したときに、前記基準点と前記一方の流下規制突部の間を結ぶ線分が、前記経路分割突部より先に接する基準接触部を他方の前記流下規制突部に設け、前記基準接触部に接する前記線分を前記入賞線分としたことを特徴とする発明２０に記載の遊技機。
【０１２８】
この発明２１によれば、入賞線分の一端は入賞口の横方向のうち一方の流下規制突部から離れた他端に位置する。そして、本発明では、このような入賞線分を設定することができるように基準接触部を他方の流下規制突部に設けたので、入賞容易領域に進入した遊技球が入賞口に入賞する確実性を高くすることができる。
【０１２９】
［発明２２］
前記入賞口は、前記一方の流下規制突部の側面に隣接配置されると共に、その一方の流下規制突部の側面には、前記入賞口より上側部分から側方に張り出す側面突部が備えられている発明２１に記載の遊技機。
【０１３０】
発明２２によれば、入賞容易領域に進入する遊技球の流下速度を側面突部によって減速させることができる。
【０１３１】
［発明２３］
前記基準接触部は、前記側面突部より下方に配置されている発明２２に記載の遊技機。
【０１３２】
発明２３によれば、側面突部と基準接触部とにより、入賞容易領域に対して遊技球を斜め上方から進入させることができる。
【０１３３】
［発明２４］
前記一方の流下規制突部は、前記内側の流下規制突部である発明１７乃至２３の何れか１の請求項に記載の遊技機。
【０１３４】
発明２４によれば、入賞口に入賞した遊技球を遊技板の後方に取り込む構造を内側の流下規制突部を利用して容易に形成することができる。
【０１３５】
［発明２６］
遊技板の前面に備えた遊技領域に遊技球を打ち込んで、その遊技領域の右側領域か左側領域かに遊技球を流下させて遊技を行う遊技機であって、前記遊技板の前面から突出して前記遊技領域の外側の境界線を特定し、その外側の境界線を遊技球が超えることを規制する外側の流下規制突部と、前記遊技板の前面から突出して前記遊技領域の内側の境界線を特定し、その内側の境界線を遊技球が超えることを規制する内側の流下規制突部と、前記内側及び外側の流下規制突部から遊技球１つ分以上離間した位置で前記遊技板の前面から突出し、遊技球の流下経路を複数に分割することが可能な経路分割突部と、前記遊技板の前面に開口する入賞口と、前記経路分割突部の１つとして設けられ、前記入賞口の横方向の一端が前記遊技球１球分より近くに隣接する特別経路分割突部と、前記入賞口の前側領域に進入する遊技球を前記入賞口に案内する入賞容易位置と、遊技球が前記入賞口の前側領域を通過することを許容しかつ前記入賞口に入賞することを規制する入賞困難位置との間を移動する可変部材とを備え、前記入賞口の上方を横切りかつ前記内側又は外側の一方の流下規制突部に接する直線である入賞線分と前記入賞容易位置の前記可変部材と前記特別経路分割突部とに囲まれた入賞容易領域が、遊技球１つ以上の大きさでかつ、前記入賞線分を通過する以外の遊技球の進入経路を有さずかつ、前記入賞口以外の遊技球の退出経路を有さず、前記経路分割突部を有しないことを特徴とする遊技機。
【０１３６】
この発明２６のように、特別経路分割突部に一端部が隣接する入賞口の上方を横切る直線である入賞線分を設定し、その入賞線分と特別経路分割突部と入賞容易位置の可変部材とに囲まれた入賞容易領域を、遊技球１つ以上の大きさでかつ、入賞線分を通過する以外の遊技球の進入経路を有さずかつ、入賞口以外の遊技球の退出経路を有さず、経路分割突部を有しない構成とすれば、入賞容易領域に進入した遊技球のほとんどは、入賞口に入賞することになる。そして、本発明では、そのような入賞線分を、内側又は外側の流下規制突部に接する直線としたので、可変部材が入賞容易位置に配置されていると、内側と外側の一方の流下規制突部と特別経路分割突部との間を通過する遊技球が全て入賞線分を通過して入賞容易領域に進入し、それら遊技球のほとんどが入賞口に入賞するという、従来にはない流れで入賞口に向かわせることができる。
【０１３７】
［発明２７］
前記入賞口の横方向の他端を基準点として、その基準点から一端側に延ばした仮想基準線を、前記基準点を中心に上方に回動したときに、前記基準点と前記特別経路分割突部の間を結ぶ線分が、前記経路分割突部より先に接する基準接触部を前記内側又は外側の一方の流下規制突部に設け、前記基準接触部に接する前記線分を前記入賞線分とした発明２６に記載の遊技機。
【０１３８】
この発明２７によれば、入賞線分の一端は入賞口の横方向のうち特別流路分割突部から離れた他端に位置する。そして、本発明では、このような入賞線分を設定することができるように基準接触部を内側又は外側の流下規制突部に設けたので、入賞容易領域に進入した遊技球が入賞口に入賞する確実性を高くすることができる。
【０１３９】
［発明２８］
前記基準接触部の一部が、前記入賞口の少なくとも一部を上方から覆っている発明１乃至４の何れか１の発明に記載の遊技機。
【０１４０】
発明２８によれば、入賞容易領域に進入する遊技球の流下速度を減速させることができる。
【０１４１】
［発明２９］
前記入賞口は、前記遊技領域の上下方向の中央より下側に配置されている発明１乃至２８の何れか１の発明に記載の遊技機。
【０１４２】
発明２９によれば、遊技領域の上下方向の中央までの遊技球の流下を遊技者が視認して楽しむことができる。
【０１４３】
［発明３０］
前記遊技板の前面に一側部が宛われかつ湾曲した帯状部材で少なくとも一部が構成されて全体が環状をなし、前記遊技領域内に打ち込まれる遊技球を案内するガイドレールと、前記遊技板のうち前記ガイドレールの内側に貫通形成された演出用開口と、前記演出用開口の内側に配置されて遊技の演出を行う演出手段と、前記遊技板の前面のうち前記演出用開口の開口縁から前方に突出する枠突壁と、を備え、前記外側の流下規制突部は、前記ガイドレールと、前記ガイドレールに遊技球１つ分より接近した位置に配置されて、前記遊技板の前面から突出する第１の近接突部とで構成され、前記内側の流下規制突部は、前記枠突壁と、前記枠突壁に遊技球１つ分より接近した位置に配置されて、前記遊技板の前面から突出する第２の近接突部とで構成されている発明１乃至２９の何れか１の発明に記載の遊技機。
【０１４４】
内側と外側の流下規制部材は、発明３０のように構成してもよいし、枠突壁のみで内側の流下規制部材を構成すると共に、ガイドレールのみで外側の流下規制部材を構成してもよい。
【０１４５】
［発明３１］
前記基準接触部は、前記第１又は第２の近接突部に備えられている発明３０に記載の遊技機。
【０１４６】
［発明３２］
前記基準接触部を備える前記第１又は第２の近接突部は、前記遊技板の前面に固定された樹脂部材である発明３１に記載の遊技機。
【０１４７】
［発明３３］
前記基準接触部を備える前記第１又は第２の近接突部は、前記遊技板の前面から突出しかつ互いに遊技球１つ分よりも狭い間隔で纏めて配置された複数の障害釘で構成されている発明３１に記載の遊技機。
【０１４８】
発明３１によれば、基準接触部の設定・変更を容易に行うことができ、遊技機の設計が容易になる。また、基準接触部は、発明３２のように樹脂部材であってもよいし、発明３３のように障害釘であってもよい。
【０１４９】
［発明３４］
遊技板の前面に備えた遊技領域に遊技球を打ち込んで、その遊技領域の右側領域か左側領域かに遊技球を流下させて遊技を行う遊技機であって、前記遊技板の前面から突出して前記遊技領域の外側の境界線を特定し、その外側の境界線を遊技球が超えることを規制する外側の流下規制突部と、前記遊技板の前面から突出して前記遊技領域の内側の境界線を特定し、その内側の境界線を遊技球が超えることを規制する内側の流下規制突部と、記内側及び外側の流下規制突部から遊技球１つ分以上離間した位置で前記遊技板の前面から突出し、遊技球の流下経路を複数に分割する複数の経路分割突部と、前記複数の経路分割突部の１つとして設けられ、上面に入賞口を有する特別経路分割突部とを備え、前記入賞口の上方を横切りかつ前記内側又は外側の一方の流下規制突部に接する直線である入賞線分と前記入賞口と前記特別経路分割突部とに囲まれた入賞容易領域が、遊技球１つ以上の大きさでかつ、前記入賞線分を通過する以外の遊技球の進入経路を有さずかつ、前記入賞口以外の遊技球の退出経路を有さず、前記経路分割突部を有しないことを特徴とする遊技機。
【０１５０】
この発明３４のように、特別経路分割突部が上面に有する入賞口の上方を横切る直線である入賞線分を設定し、その入賞線分と特別経路分割突部と入賞口とに囲まれた入賞容易領域を、遊技球１つ以上の大きさでかつ、入賞線分を通過する以外の遊技球の進入経路を有さずかつ、入賞口以外の遊技球の退出経路を有さず、経路分割突部を有しない構成とすれば、入賞容易領域に進入した遊技球のほとんどは、入賞口に入賞することになる。そして、本発明では、そのような入賞線分を、内側又は外側の流下規制突部に接する直線としたので、内側と外側の一方の流下規制突部と特別経路分割突部との間を通過する遊技球が全て入賞線分を通過して入賞容易領域に進入し、それら遊技球のほとんどが入賞口に入賞するという、従来にはない流れで入賞口に向かわせることができる。
【０１５１】
［発明３５］
前記入賞口の左右方向の一方側の開口縁を基準点として、その基準点から前記入賞口の他方側の開口縁側に延ばした仮想基準線を、前記基準点を中心に上方に回動したときに、前記仮想基準線のうち前記基準点と前記特別経路分割突部との間を結ぶ線分の途中部分が、前記経路分割突部より先に接する基準接触部を前記内側又は外側の一方の流下規制突部に設け、前記基準接触部に接する前記線分を前記入賞線分とした発明３４に記載の遊技機。
【０１５２】
この発明３５によれば、入賞線分の一端は入賞口の左右方向の一方側の開口縁に位置する。そして、本発明では、このような入賞線分を設定することができるように基準接触部を内側又は外側の流下規制突部に設けたので、入賞容易領域に進入した遊技球が入賞口に入賞する確実性を高くすることができる。
【０１５３】
［発明３６］
遊技板の前面に備えた遊技領域に遊技球を打ち込んで、その遊技領域の右側領域か左側領域かに遊技球を流下させて遊技を行う遊技機であって、前記遊技板の前面から突出して前記遊技領域の外側の境界線を特定し、その外側の境界線を遊技球が超えることを規制する外側の流下規制突部と、前記遊技板の前面から突出して前記遊技領域の内側の境界線を特定し、その内側の境界線を遊技球が超えることを規制する内側の流下規制突部と、前記内側及び外側の流下規制突部から遊技球１つ分以上離間した位置で前記遊技板の前面から突出し、遊技球の流下経路を複数に分割する複数の経路分割突部と、前記複数の経路分割突部の１つとして設けられ、上面に入賞口を有する特別経路分割突部と、前記入賞口の左右方向の一方側の開口縁から上方に突出するように前記特別経路分割突部に形成されて、遊技球を前記入賞口へと案内するガイド面とを備え、前記入賞口の上方を横切りかつ前記内側又は外側の一方の流下規制突部に接する直線である入賞線分と前記特別経路分割突部と前記入賞口と前記ガイド面とに囲まれた入賞容易領域が、遊技球１つ以上の大きさでかつ、前記入賞線分を通過する以外の遊技球の進入経路を有さずかつ、前記入賞口以外の遊技球の退出経路を有さず、前記経路分割突部を有しないことを特徴とする遊技機。
【０１５４】
この発明３６のように、特別分割経路の上面に設けられた入賞口の上方を横切る直線である入賞線分を設定し、その入賞線分と特別経路分割突部と入賞口とガイド面とに囲まれた入賞容易領域を、遊技球１つ以上の大きさでかつ、入賞線分を通過する以外の遊技球の進入経路を有さずかつ、入賞口以外の遊技球の退出経路を有さず、経路分割突部を有しない構成とすれば、入賞容易領域に進入した遊技球のほとんどは、入賞口に入賞することになる。そして、本発明では、そのような入賞線分を、内側又は外側の流下規制突部に接する直線としたので、内側と外側の一方の流下規制突部と第１特別経路分割突部との間を通過する遊技球が全て入賞線分を通過して入賞容易領域に進入し、それら遊技球のほとんどが入賞口に入賞するという、従来にはない流れで入賞口に向かわせることができる。
【０１５５】
［発明３７］
前記ガイド面の上端を基準点として、その基準点から前記入賞口の左右方向の他方側に延ばした仮想基準線を、前記基準点を中心に上方に回動したときに、前記仮想基準線のうち前記基準点と前記特別経路分割突部の間を結ぶ線分の途中部分が、前記経路分割突部より先に接する基準接触部を前記内側又は外側の一方の流下規制突部に設け、前記基準接触部に接する前記線分を前記入賞線分とした発明３６に記載の遊技機。
【０１５６】
この発明３７によれば、入賞線分の一端は特別経路分割突部におけるガイド面の上端に位置する。そして、本発明では、このような入賞線分を設定することができるように基準接触部を内側又は外側の流下規制突部に設けたので、入賞容易領域に進入した遊技球が入賞口に入賞する確実性を高くすることができる。
【０１５７】
なお、上記［発明１〜３７］中の下記構成要素には、上記実施形態中の下記部位が以下の如く対応する。
ガイドレール：ガイドレール９０、枠突壁：枠突壁２４、内側の流下規制突部：内側の流下規制突部８８、外側の流下規制突部：外側の流下規制突部８９、入賞口：サイド大入賞口１７，７０，前面入賞口７２，大入賞口７２Ｙ、樹脂突部：９５Ａ、障害釘列：障害釘列９９、ガイド突部：ガイド突部７４、ガイド面：７４Ｇ、転動面：転動面３５、可変部材：可変部材１４Ｔ，１５Ｔ，１７Ｔ，７３，７２Ｔ
【符号の説明】
【０１５８】
１０，１０Ｎ，１０Ｐ，１０Ｒ，１０Ｓ，１０Ｔ，１０Ｕ，１０Ｖ，１０Ｗ，１０Ｘ，１０Ｙ，１０Ｚ    パチンコ遊技機
１１    遊技板
１１Ｗ    演出用開口
１４Ｔ，１５Ｔ，１７Ｔ，７３，７２Ｔ    可変部材
１７    サイド大入賞口
２１Ｌ    左側領域
２１Ｒ    右側領域
２４    枠突壁
３５    転動面
３６    ガイド面
７０    サイド大入賞口
７２    前面入賞口
７２Ｙ    大入賞口
７４Ｚ    突部間通路
８８    内側の流下規制突部
８９    外側の流下規制突部
９０    ガイドレール
７４    ガイド突部
７４Ｇ    ガイド面
９５Ａ    樹脂突部
９８    障害釘
９９    障害釘列
Ｈ    仮想基準線
Ｋ    入賞容易領域
Ｎ    入賞線分
Ｐ０    基準点
Ｐ１    交点
Ｒ１    レール内領域
Ｒ２    遊技領域
【図１】
2020127796.tif 000003
【図２】
2020127796.tif 000004
【図３】
2020127796.tif 000005
【図４】
2020127796.tif 000006
【図５】
2020127796.tif 000007
【図６】
2020127796.tif 000008
【図７】
2020127796.tif 000009
【図８】
2020127796.tif 000010
【図９】
2020127796.tif 000011
【図１０】
2020127796.tif 000012
【図１１】
2020127796.tif 000013
【図１２】
2020127796.tif 000014
【図１３】
2020127796.tif 000015
【図１４】
2020127796.tif 000016
【図１５】
2020127796.tif 000017
【図１６】
2020127796.tif 000018
【図１７】
2020127796.tif 000019
【図１８】
2020127796.tif 000020
【図１９】
2020127796.tif 000021
【図２０】
2020127796.tif 000022
【図２１】
2020127796.tif 000023